(57)【特許請求の範囲】
【請求項１】
1枚の厚紙によって構成され、第１〜第４側板１２〜１５を山折り線１６ａ〜１６ｄで折曲して形成された角筒状で、一端部側に底部１１ａを形成し、他端部側に蓋部１１ｂを形成した箱主体１１と、
前記箱主体１１の底部１１ａ側に前記第１側板１２及び第３側板１４と山折り線２０ａ，２０ｃを介して一体に連設された略台形状の第１底部片１８及び第３底部片１９と、
前記箱主体１１の底部１１ａ側に前記第２側板１３及び第４側板１５と山折り線２０ｂ，２０ｄを介して一体に連設された略三角形状の第２底部片２１及び第４底部片２２と、
前記第２底部片２１及び第４底部片２２の斜辺で、前記第１底部片１８及び第３底部片１９に隣り合う側に谷折り線２３ａ,２３ｂを介して一体に連設された第１及び第２糊付け片３７,３８とを具備し、
前記第１糊付け片３７をこれと隣り合う前記第１底部片１８に糊付けして第１底部片１８と第２底部片２１を結合すると共に、前記第２糊付け片３８をこれと隣り合う第３底部片１９に糊付けして第３底部片１９と第４底部片２２を結合し、
前記第２底部片２１の先端部側が、前記第３底部片１９と第２糊付け片３８との接合部の内側に、前記第４底部片２２の先端部側が、前記第１底部片１８と第１糊付け片３７との接合部の内側にそれぞれ重なり、前記第１底部片１８、第２底部片２１、第３底部片１９及び第４底部片２２によって前記箱主体１１の底部１１ａを形成し、前記第１山折り線１６ａ及び第３山折り線１６ｃを山折りして前記箱主体１１を扁平状に折り畳み可能な包装用紙箱において、
前記第１底部片１８の先端側に該第１底部片１８を形成する斜辺に連続して第４底部片２２側に向って突出する第１突出部３５を設けると共に、
第３底部片１９の先端側に該第３底部片１９を形成する斜辺に連続して第２底部片２１側に向って突出する第２突出部３６を設け、
前記第１突出部３５は、前記第１底部片１８の先端の前記第４底部片２２側の部分が、前記第１底部片１８の頂部から、先端側かつ前記第４底部片２２側に向って立ち上がり、先端側にも向って突出しており、
前記第２突出部３６は、前記第３底部片１９の先端の前記第２底部片２１側の部分が、前記第３底部片１９の頂部から、先端側かつ前記第２底部片２１側に向って立ち上がり、先端側にも向って突出しており、
前記箱主体１１の組立て状態で、前記第１突出部３５が第４底部片２２の外側面に、前記第２突出部３６が前記第２底部片２１の外側面にそれぞれ重なって底部１１ａを構成することを特徴とする包装用紙箱。
【請求項２】
前記第１及び第２突出部３５，３６は、先端部が弧状であり、前記箱主体１１の組立て状態で、底部１１ａにおいて互いに反対の方向に突出するように配置されることを特徴とする請求項１記載の包装用紙箱。
【請求項３】
1枚の厚紙によって構成され、第１〜第４側板１２〜１５を山折り線１６ａ〜１６ｄで折曲して形成された角筒状で、一端部側に底部１１ａを形成し、他端部側に蓋部１１ｂを形成した箱主体１１と、
前記箱主体１１の底部１１ａ側に前記第１側板１２及び第３側板１４と山折り線２０ａ，２０ｃを介して一体に連設された略台形状の第１底部片１８及び第３底部片１９と、
前記箱主体１１の底部１１ａ側に前記第２側板１３及び第４側板１５と山折り線２０ｂ，２０ｄを介して一体に連設された略三角形状の第２底部片２１及び第４底部片２２と、
前記第２底部片２１及び第４底部片２２の斜辺で、前記第１底部片１８及び第３底部片１９に隣り合う側に谷折り線２３ａ,２３ｂを介して一体に連設された第１及び第２糊付け片３７，３８とを具備し、
前記第１糊付け片３７をこれと隣り合う前記第１底部片１８に糊付けして第１底部片１８と第２底部片２１を結合すると共に、前記第２糊付け片３８をこれと隣り合う第３底部片１９に糊付けして第３底部片１９と第４底部片２２を結合し、
前記第２底部片２１の先端部側が、前記第３底部片１９と第２糊付け片３８との接合部の内側に、前記第４底部片２２の先端部側が、前記第１底部片１８と第１糊付け片３７との接合部の内側にそれぞれ重なり、前記第１底部片１８、第２底部片２１、第３底部片１９及び第４底部片２２によって前記箱主体１１の底部１１ａを形成し、前記第１山折り線１６ａ及び第３山折り線１６ｃを山折りして前記箱主体１１を扁平状に折り畳み可能な包装用紙箱において、
前記第１底部片１８の先端側に該第１底部片１８を形成する斜辺に連続して第４底部片２２側に向って突出する第１突出部３５を設けると共に、第３底部片１９の先端側に該第３底部片１９を形成する斜辺に連続して第２底部片２１側に向って突出する第２突出部３６を設け、
前記箱主体１１の組立て状態で、前記第１突出部３５が第４底部片２２の外側面に、前記第２突出部３６が前記第２底部片２１の外側面にそれぞれ重なって底部１１ａを構成するとともに、
前記第１及び第２突出部３５，３６は、先端部が凸円弧状であり、前記第１底部片１８及び第３底部片１９の先端側にも向って突出していると共に、前記第１底部片１８及び第３底部片１９の頂部から立ち上がる角度は、該頂部に対して３０°〜４０°であることを特徴とする包装用紙箱。
【発明の詳細な説明】
【技術分野】
【０００１】
本発明は、例えば、焼酎、清酒等の瓶１本ずつ包装する包装用紙箱に関する。
【背景技術】
【０００２】
焼酎、清酒等の瓶は、７２０ｍｌ，９００ｍｌ，１８００ｍｌ等が一般的であり、店頭で販売する際には、顧客が瓶を手に取ってラベルに表示された内容物の情報等を確認できるように未包装の瓶のまま陳列されている場合が多い。焼酎、清酒等を顧客が贈答用等として購入する場合、店員に紙箱包装を希望することを告げると、店員が店舗に用意されている包装用紙箱を取り出し、瓶を包装用紙箱に収納して顧客に手渡ししている。
【０００３】
焼酎、清酒等の瓶を包装する包装用紙箱は、瓶を立てに１本ずつ収納できるように、上部に蓋部を有する縦長の直方体形状が一般的であるが、包装用紙箱は、店舗で保管する際に嵩張らないように扁平状に折り畳まれる折り畳み式である。しかも、包装用紙箱は必要に応じてワンタッチで組立てられると共に、組立て後は、糊や粘着テープを用いることなく立体的箱形状に保てるように構成されている。
【０００４】
図６は従来のワンタッチ再組立て可能な包装用紙箱の展開図、図７は組立て過程の底部を示す斜視図、図８は組立て状態の底部の正面図である。図６〜図８に示すように、厚紙にコーティングを施したコートボール、段ボール等によって形成された箱主体１１は、同一幅、同一長さの長方形状の第１側板としての右側板１２、第２側板としての前側板１３、第３側板としての左側板１４及び第４側板としての後側板１５が山折り線１６ａ，１６ｂ，１６ｃを介して連設されている。さらに、後側板１５には山折り線１６ｄを介して糊代片１７が連設されている。
【０００５】
右側板１２及び左側板１４の長手方向の一端部、つまり箱主体１１の底部１１ａ側にはそれぞれ略台形状の第１底部片としての右底部片１８及び第３底部片としての左底部片１９が山折り線２０ａ，２０ｃを介して連設されている。前側板１３及び後側板１５の長手方向の一端部にも右底部片１８、左底部片１９と隣り合うように第２底部片としての前底部片２１、第４底部片としての後底部片２２が山折り線２０ｂ，２０ｄを介して連設されている。前底部片２１及び後底部片２２は、山折り線２０ｂ，２０ｄを底辺とし、山折り線１６ｂ及び１６ｄの延長線上を垂直辺２１ａ，２２ａとする直角三角形状で、その斜辺２１ｂ，２２ｂには谷折り線２３ａ，２３ｂを介して略三角形状の第１、第２底部糊付け片２４，２５が連設されている。第１、第２底部糊付け片２４，２５は前底部片２１及び後底部片２２の斜辺２１ｂ，２２ｂの基端側に偏って設けられており、斜辺２１ｂ，２２ｂの先端側には谷折り線２３ａ，２３ｂの延長線上２６ａ，２６ｂより僅かに突出する爪部２７，２８が設けられている。
【０００６】
また、右側板１２及び左側板１４の長手方向の他端部、つまり箱主体１１の蓋部１１ｂ側にはそれぞれフラップ２９，３０が山折り線３１ａ，３１ｂを介して連設されている。前側板１３の長手方向の他端部には蓋体３２が、後側板１５の長手方向の他端部には瓶押え片３３が山折り線３１ｃ，３１ｄを介して連設されている。蓋体３２の先端部には山折り線３１ｃと平行する山折り線３１ｅを介して差し込み片３２ａが設けられている。瓶押え片３３の基端部には山折り線３１ｄと平行する谷折り線３３ａが設けられ、この瓶押え片３３の谷折り線３３ａより先端部には瓶のネック部の嵌合する嵌合孔３４が穿設されている。なお、３４ａは指掛け部である。
【０００７】
このように構成された包装用紙箱は、次のようにして製作される。まず、箱主体１１を構成する右側板１２、前側板１３、左側板１４、後側板１５及び糊代片１７の山折り線１６ａ〜１６ｄを山折りして折れ癖を付ける。また、底部１１ａを構成する右底部片１８、左底部片１９、前底部片２１及び後底部片２２の山折り線２０ａ〜２０ｄを山折りして折れ癖を付ける。さらに、底部糊付け片２４，２５の谷折り線２３ａ，２３ｂを谷折りして折れ癖を付ける。
底部糊付け片２４，２５の裏面に糊を塗布し、底部糊付け片２４，２５の裏面の全面が右底部片１８及び左底部片１９の表面に重なるようにして糊付けする。また、糊代片１７の表面に糊を塗布し、右側板１２の裏面に糊付けすると、右側板１２、前側板１３、左側板１４、後側板１５によって角筒状の箱主体１１が構成される。角筒状の箱主体１１の対角線上に位置する山折り線１６ａと１６ｃのみを折曲し、残りの山折り線１６ｂと１６ｄを折曲せずに展開状態とすると、底部１１ａを構成する右底部片１８、左底部片１９、前底部片２１及び後底部片２２は山折り線２０ａ〜２０ｄで山折りされ、図７に示すように箱主体１１の内部に折り込まれて角筒状の箱主体１１が扁平状に折り畳まれる。
【０００８】
また、扁平状の箱主体１１の山折り線１６ａと１６ｃを矢印Ｐ方向に押圧すると、山折り線１６ｂと１６ｄが徐々に山折りされて箱主体１１が角筒状に組立てられる。このとき、底部１１ａを構成する前底部片２１及び後底部片２２の爪部２７，２８が互いに摺接しながら前底部片２１及び後底部片２２が前側板１３及び後側板１５に対して直角になり、右底部片１８及び左底部片１９も右側板１２及び左側板１４に対して直角になり、最終的に、図８に示すように、前底部片２１及び後底部片２２の先端部が右底部片１８及び左底部片１９の内側に重なって底部１１ａが構成される。従って、扁平状の箱主体１１の山折り線１６ａと１６ｃの部分を矢印Ｐ方向に押圧するだけでワンタッチで箱主体１１が組立てられる。また、組立て状態の箱主体１１の山折り線１６ｂと１６ｄの角部を矢印Ｑ方向に押圧すると、底部１１ａを構成する右底部片１８、左底部片１９、前底部片２１及び後底部片２２は山折り線２０ａ〜２０ｄで山折りされ、図７に示すように箱主体１１の内部に折り込まれて角筒状の箱主体１１をワンタッチで扁平状に折り畳まれる。
【０００９】
箱主体１１の組立て過程で、爪部２７，２８が互いに摺接し、組立て後は爪部２７と２８が噛み合う状態となるため、箱主体１１が組立て状態の保持され、包装用紙箱に対して瓶を収納する際に、手作業で行うにしても機械で自動的に行うにしても作業性が良い。なお、図示しないが、前記底部糊付け片２４，２５の辺部に円弧状の丸みを付け、爪部２７，２８を廃止したものも知られている。
さらに、焼酎、清酒等の瓶１本ずつ包装する包装用紙箱ではないが、医薬品類や食品類を収納するものとして、ワンタッチで組立て折り畳みが可能な包装用紙箱が知られている（例えば、特許文献１及び２参照。）。
【特許文献１】特開２００２−１０４３７６号公報
【特許文献２】実用新案登録第３０９４８８３号公報
【発明の開示】
【発明が解決しようとする課題】
【００１０】
しかし、図６〜図８に示す包装用紙箱は、箱主体１１の組立て過程で、爪部２７，２８が互いに摺接し、組立て後は爪部２７と２８が噛み合う状態となるため、一度組立てた箱主体１１を再度折り畳もうとすると、爪部２７，２８が破れたり潰れるため、箱主体１１を再使用としても爪部２７，２８が本来の目的を果たさなくなり、底部１１ａの組立てができないという不具合がある。また、爪部２７，２８を廃止したものは、組立て後に噛み合う部分がないため、組立て状態に保つことができず、包装用紙箱に対して瓶を収納する際に、手作業で行うにしても機械で自動的に行うにしても作業性が悪いという不具合がある。
【００１１】
前記特許文献１は、左右底部構成部分に糊付けする糊代片を大きくして糊付け面積を広くすることにより、機械によって自動糊付けを行う際の糊付け不良を減少するように構成してものである。
また、特許文献２は、箱主体の底部を構成する底片の一部に係合用切込み部を設け、底片を強制的に開いたときに係合用切込み部が裂けて痕跡を残すようにしたものであり、未開封か否かを識別できるようにしたものである。
【００１２】
従って、特許文献１，２は、いずれも組立て、折り畳みを繰り返しても破損することなく、また組立て状態でロックされ、組立て状態に保つことができるように改善したものではない。
本発明は、前記事情に着目してなされたもので、その目的とするところは、組立て、折り畳みを繰り返しても破損することはなく、また組立て状態でロックされ、組立て状態に保つことができ、包装用紙箱に対して瓶を収納する際に、手作業で行うにしても機械で自動的に行うにしても作業性を向上できる包装用紙箱を提供することにある。
【課題を解決するための手段】
【００１３】
本発明の一形態は、1枚の厚紙によって構成され、第１〜第４側板１２〜１５を山折り線１６ａ〜１６ｄで折曲して形成された角筒状で、一端部側に底部１１ａを形成し、他端部側に蓋部１１ｂを形成した箱主体１１と、
前記箱主体１１の底部１１ａ側に前記第１側板１２及び第３側板１４と山折り線２０ａ，２０ｃを介して一体に連設された略台形状の第１底部片１８及び第３底部片１９と、前記箱主体１１の底部１１ａ側に前記第２側板１３及び第４側板１５と山折り線２０ｂ，２０ｄを介して一体に連設された略三角形状の第２底部片２１及び第４底部片２２と、前記第２底部片２１及び第４底部片２２の斜辺で、前記第１底部片１８及び第３底部片１９に隣り合う側に谷折り線２３ａ,２３ｂを介して一体に連設された第１及び第２糊付け片３７，３８とを具備し、
前記第１糊付け片３７をこれと隣り合う前記第１底部片１８に糊付けして第１底部片１８と第２底部片２１を結合すると共に、前記第２糊付け片３８をこれと隣り合う第３底部片１９に糊付けして第３底部片１９と第４底部片２２を結合し、前記第２底部片２１の先端部側が、前記第３底部片１９と第２糊付け片３８との接合部の内側に、前記第４底部片２２の先端部側が、前記第１底部片１８と第１糊付け片３７との接合部の内側にそれぞれ重なり、前記第１底部片１８、第２底部片２１、第３底部片１９及び第４底部片２２によって前記箱主体１１の底部１１ａを形成し、前記第１山折り線１６ａ及び第３山折り線１６ｃを山折りして前記箱主体１１を扁平状に折り畳み可能な包装用紙箱において、
前記第１底部片１８の先端側に該第１底部片１８を形成する斜辺に連続して第４底部片２２側に向って突出する第１突出部３５を設けると共に、第３底部片１９の先端側に該第３底部片１９を形成する斜辺に連続して第２底部片２１側に向って突出する第２突出部３６を設け、
前記第１突出部３５は、前記第１底部片１８の先端の前記第４底部片２２側の部分が、前記第１底部片１８の頂部から、先端側かつ前記第４底部片２２側に向って立ち上がり、先端側にも向って突出しており、
前記第２突出部３６は、前記第３底部片１９の先端の前記第２底部片２１側の部分が、前記第３底部片１９の頂部から、先端側かつ前記第２底部片２１側に向って立ち上がり、先端側にも向って突出しており、
前記箱主体１１の組立て状態で、前記第１突出部３５が第４底部片２２の外側面に、前記第２突出部３６が前記第２底部片２１の外側面にそれぞれ重なって底部１１ａを構成することを特徴とする。
【００１４】
他の一形態は、前記第１及び第２突出部３５，３６は、先端部が弧状であり、前記箱主体１１の組立て状態で、底部１１ａにおいて互いに反対の方向に突出するように配置されることを特徴とする。
【００１５】
他の一形態は、前記第１及び第２突出部３５，３６は、先端部が凸円弧状であり、前記第１底部片１８及び第３底部片１９の先端側にも向って突出していると共に、前記第１底部片１８及び第３底部片１９の頂部から立ち上がる角度は、該頂部に対して３０°〜４０°であることを特徴とする。
【発明の効果】
【００１６】
本発明によれば、組立て、折り畳みを繰り返しても破損することはなく、耐久性があり、また組立て状態でロックされ、組立て状態に保つことができ、包装用紙箱に対して瓶等を収納する際に、手作業で行うにしても機械で自動的に行うにしても作業性を向上できるという効果がある。
【発明を実施するための最良の形態】
【００１７】
以下、本発明の各実施の形態を図面に基づいて説明する。
【００１８】
図１〜図３は第１の実施形態を示し、図１は展開図、図２は組立て過程の底部を示す斜視図、図３は組立て状態の底部を示す正面図であり、従来と同一構成部分は同一符号を付して説明を省略する。厚紙にコーティングを施したコートボール、段ボール等の厚紙によって形成された箱主体１１の一端部側には底部１１ａが、他端部側には蓋部１１ｂが設けられている。
【００１９】
箱主体１１を構成する右側板１２及び左側板１４の長手方向の一端部、つまり箱主体１１の底部１１ａ側にはそれぞれ台形状の第１底部片としての右底部片１８及び第３底部片としての左底部片１９が山折り線２０ａ，２０ｃを介して連設されている。前側板１３及び後側板１５の長手方向の一端部にも右底部片１８、左底部片１９と隣合うように第２底部片としての前底部片２１、第４底部片としての後底部片２２が山折り線２０ｂ，２０ｄを介して連設されている。前底部片２１及び後底部片２２は、山折り線２０ｂ，２０ｄを底辺とし、山折り線１６ｂ及び１６ｄの延長線上を垂直辺２１ａ，２２ａとする直角三角形状で、その斜辺２１ｂ，２２ｂには谷折り線２３ａ，２３ｂを介して略三角形状の第１、第２底部糊付け片３７，３８が連設されている。第１、第２底部糊付け片３７，３８は前底部片２１及び後底部片２２の斜辺２１ｂ，２２ｂの基端側に偏って設けられており、斜辺２１ｂ，２２ｂの先端側は凸円弧面２１ｃ，２２ｃが設けられている。
【００２０】
また、第１、第２底部糊付け片３７，３８は谷折り線２３ａ，２３ｂを底辺とする略三角形状であり、一方の斜辺３７ａ，３８ａは箱主体１１の山折り線１６ａ，１６ｃの延長線上に位置する直線であり、他方の斜辺３７ｂ，３８ｂは凸円弧面に形成されている。
【００２１】
さらに、右底部片１８の先端側の斜辺１８ａには右底部片１８と連続して後底部片２２側に向って突出する第１突出部３５が一体に設けられている。左底部片１９の先端側の斜辺１９ａには左底部片１９と連続して前底部片２１側に向って突出する第２突出部３６が一体に設けられている。第１及び第２突出部３５，３６は、先端部が凸円弧状であり、頂部１８ｂ、１９ｂから右底部片１８及び左底部片１９の先端側にも向って突出している。第１及び第２突出部３５，３６の右底部片１８及び左底部片１９の頂部１８ｂ、１９ｂのＤ点から立ち上がる角度θは、頂部１８ｂ、１９ｂに対して３０°に設定されている（図４（ａ）参照。）。
【００２２】
そして、箱主体１１の組立て時においては、第１突出部３５が後底部片２２の外側面に、第２突出部３６が前底部片２１の外側面にそれぞれ重なって底部１１ａを構成するようになっている。
【００２３】
このように構成された包装用紙箱は、次のようにして製作される。まず、箱主体１１を構成する右側板１２、前側板１３、左側板１４、後側板１５及び糊代片１７の山折り線１６ａ〜１６ｄを山折りして折れ癖を付ける。また、底部１１ａを構成する右底部片１８、左底部片１９、前底部片２１及び後底部片２２の山折り線２０ａ〜２０ｄを山折りして折れ癖を付ける。さらに、第1、第２底部糊付け片３７，３８の谷折り線２３ａ，２３ｂを谷折りして折れ癖を付ける。
第1、第２底部糊付け片３７，３８の裏面に糊を塗布し、第1、第２底部糊付け片３７，３８の裏面の全面が右底部片１８及び左底部片１９の表面に重なるようにして糊付けする。また、糊代片１７の表面に糊を塗布し、右側板１２の裏面に糊付けすると、右側板１２、前側板１３、左側板１４、後側板１５によって角筒状の箱主体１１が構成される。角筒状の箱主体１１の対角線上に位置する山折り線１６ａと１６ｃのみを折曲し、残りの山折り線１６ｂと１６ｄを折曲せずに展開状態とすると、底部１１ａを構成する右底部片１８、左底部片１９、前底部片２１及び後底部片２２は山折り線２０ａ〜２０ｄで山折りされ、図２に示すように箱主体１１の内部に折り込まれて角筒状の箱主体１１が扁平状に折り畳まれる。
【００２４】
また、扁平状の箱主体１１の山折り線１６ａと１６ｃを矢印Ｐ方向に押圧すると、山折り線１６ｂと１６ｄが徐々に山折りされて箱主体１１が角筒状に組立てられる。このとき、底部１１ａを構成する前底部片２１の表面を第２突出部３６の円弧面が摺接して徐々に重なり、後底部片２２の表面を第１突出部３５の円弧面が摺接して徐々に重なり、前底部片２１の表面には第２突出部３６が重なり、後底部片２２の表面には第１突出部３５が重なる。
そして、次第に前底部片２１及び後底部片２２が前側板１３及び後側板１５に対して直角になり、右底部片１８及び左底部片１９も右側板１２及び左側板１４に対して直角になり、最終的に、図３に示すように、前底部片２１及び後底部片２２の先端部が右底部片１８及び左底部片１９の内側に重なって底部１１ａが構成される。従って、扁平状の箱主体１１の山折り線１６ａと１６ｃを矢印Ｐ方向に押圧するだけでワンタッチで箱主体１１が組立てられる。
また、組立て状態の箱主体１１の山折り線１６ｂと１６ｄの角部を矢印Ｑ方向に押圧すると、底部１１ａを構成する右底部片１８、左底部片１９、前底部片２１及び後底部片２２は山折り線２０ａ〜２０ｄで山折りされ、図２に示すように箱主体１１の内部に折り込まれて角筒状の箱主体１１をワンタッチで扁平状に折り畳まれる。
【００２５】
ここで、右底部片１８、左底部片１９に設けられた第１及び第２突出部３５，３６の位置について説明を加えると、図４（ａ）に示すようになっている。すなわち、右底部片１８、左底部片１９、前底部片２１、後底部片２２の幅をＡとし、右底部片１８、左底部片１９の高さをＣとすると、Ｂは、Ａ／２で、ＣはＡ／２−０．５ｍｍであり、右底部片１８、左底部片１９の頂部１８ｂ、１９ｂに設けられた第１及び第２突出部３５，３６の立ち上がり点Ｄは、Ａ／２に位置している。従って、後述する手段で箱主体１１を組立てて底部１１ａを構成したとき、図５（ａ）に示すように、中央部の重なり部分の遊びＥが少ない。この遊びＥは、箱主体１１を構成する厚紙の厚さが薄い場合には問題がないが、厚紙の厚さが厚くなると、組立て時の抵抗が大きくなる傾向にある。
図４（ｂ）は第２の実施形態を示し、前述のような問題を解消したものである。すなわち、第１の実施形態と異なる箇所のみ説明すると、右底部片１８、左底部片１９、前底部片２１、後底部片２２の幅をＡ’とし、右底部片１８、左底部片１９の高さをＣ’とすると、Ｂ’は、Ａ’／２＋１．５ｍｍで、Ｃ’はＡ’／２−１．５ｍｍであり、右底部片１８、左底部片１９の頂部１８ｂ、１９ｂに設けられた第１及び第２突出部３５，３６の立ち上がり点Ｄは、第１側板１２の山折り線１６ａから、第３側板１４の山折り線１６ｃから、Ａ’／２＋１．５ｍｍに位置している。また、第１及び第２突出部３５，３６の右底部片１８及び左底部片１９の頂部１８ｂ、１９ｂのＤ点から立ち上がる角度θは、頂部１８ｂ、１９ｂに対して４０°に設定されている（図４（ｂ）参照。）。
【００２６】
このように、第１及び第２突出部３５，３６の立ち上がり点Ｄを若干右側に移動させることにより、第１及び第２突出部３５，３６を大きくしても組立て時の抵抗が大きくなることはなく、底部１１ａの強度を上げることができる。また、箱主体１１を組立てて底部１１ａを構成したとき、図５（ｂ）に示すように、中央部の重なり部分の遊びＥが大きい。遊びＥを大きくすると、第1、第２底部糊付け片３７，３８の裏面を右底部片１８及び左底部片１９の表面に糊付けする際に多少の誤差が生じても組立て時の抵抗が少なく、機械組立てが容易となる。
なお、前記数値は、発明者の実験、試作によれば、箱主体１１を構成する厚紙の厚さ及び箱主体１１のサイズによって変動するが、厚紙の厚さが厚くなると、前記数値を大きくすると、組立て時の抵抗が少なくなる傾向にある。
また、本発明は、瓶を収納する包装用紙箱について説明したが、他の商品、部品を収納する包装用紙箱として利用でき、特にワンタッチで再組立て可能であり、通い箱としても有効である。
なお、この発明は、前記実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を適宜組合わせてもよい。
【図面の簡単な説明】
【００２７】
【図１】本発明の包装用紙箱の第１の実施形態を示す展開図。
【図２】同実施形態の組立て過程の底部を示す斜視図。
【図３】同実施形態の組立て状態の底部を示す正面図。
【図４】本発明の包装用紙箱を示し、（ａ）（ｂ）は底部を拡大した展開図。
【図５】同実施形態の組立て状態を示し、（ａ）（ｂ）は底部を拡大した正面図。
【図６】従来の包装用紙箱の展開図。
【図７】同じく組立て過程の底部を示す斜視図。
【図８】同じく組立て状態の底部を示す正面図。
【符号の説明】
【００２８】
１１…箱主体、１２…右側面、１３…前側面、１４…左側面、１５…後側面、１６ａ〜１６ｄ…山折り線、１７…糊付け片、１８…右底部片、１９…左底部片、２１…前底部片、２２…後底部片、２３ａ，２３ｂ…谷折り線、３５…第１突出部、３６…第２突出部、３７…第１底部糊付け片、３８…第２底部糊付け片
【図１】
0004789682.tif 000002
【図２】
0004789682.tif 000003
【図３】
0004789682.tif 000004
【図４】
0004789682.tif 000005
【図５】
0004789682.tif 000006
【図６】
0004789682.tif 000007
【図７】
0004789682.tif 000008
【図８】
0004789682.tif 000009